(57)【特許請求の範囲】
【請求項１】
少なくとも乾燥処理中の穀物の状態を様々な表示形態で表示する表示手段を備えた穀物乾燥機において、
前記乾燥処理が実際に行われた場合の様々な態様を想定して作成された前記穀物に関する情報と、前記穀物乾燥機の操作方法及び取扱い説明に関する情報とを予め記憶する記憶手段と、
前記乾燥処理が実際に行われた場合に前記表示手段に表示される内容と同等の複数の表示形態を、前記記憶手段に記憶されている前記穀物に関する情報に基づいて、張込中、乾燥処理中、排出処理中の各運転モード時において前記表示手段に表示させると共に、前記穀物乾燥機の電源が投入されていれば、前記乾燥処理を行わなくとも、前記操作方法及び取扱い説明に関する情報を前記表示手段に表示させる制御手段と、
前記制御手段に対して、前記複数の表示形態の中から１又は２以上の表示形態を選択指定し、前記選択指定した表示形態を前記表示手段に表示させる選択手段と、を備えたことを特徴とする穀物乾燥機。
【請求項２】
前記制御手段は、前記選択手段の指示に従って、少なくとも穀物の含水率分布と、乾燥終了時間の予測に関する図形表示形態を前記表示手段に表示させることを特徴とする請求項１に記載の穀物乾燥機。
【発明の詳細な説明】
【０００１】
【発明の属する技術分野】
本発明は、穀物を自動乾燥させる穀物乾燥機に関し、特に、少なくとも乾燥処理中の穀物の状態を様々な表示形態で表示する表示手段を備え、機能や取り扱い説明等の情報をユーザー等（操作者等）に提示して、操作性の向上等を図るようにした穀物乾燥機に関するものである。
【０００２】
【従来の技術】
従来の穀物乾燥機として、特開平１０−３３２２６６号公報に開示されたものが知られている。この穀物乾燥機は、貯留室と乾燥室及び集穀室が連通した本体部と、昇降機とを備えて構成され、貯留室から集穀室へ降下する穀物を乾燥室で乾燥させると共に、集穀室に到達した穀物を昇降機で貯留室へ循環させることにより、循環乾燥を行っている。
【０００３】
また、乾燥室内の温度を計測する温度センサと、穀粒の含水率を計測する水分計等のセンサ手段が設けられており、これらのセンサ手段で計測される実測データに基づいて適切な乾燥処理を行うように所謂フィードバック制御等を行うようにしている。
【０００４】
また、上記の温度や含水率等の実測データを表示するための表示部が設けられており、ユーザー等はこれらの表示内容を見ることで、乾燥処理が適切に進行しているか否かを監視することができるようになっていた。
【０００５】
【発明が解決しようとする課題】
上記のように従来の穀物乾燥機では、乾燥処理中に得られる種々の実測データ等を表示部に表示することによって、ユーザー等の利便性を向上させることとしている。
【０００６】
ところが、ユーザー等にとっては、例えば新規に導入した穀物乾燥機の機能や取扱い方法を、実際に乾燥処理を行わせる前に事前に習得したり、何回か使用した後であっても、他の機能や取扱い方法を取得したいという場合があり、このような要望に十分に応え得る機能を備えるものがなかった。
【０００７】
すなわち、穀物乾燥機の機能や取扱い方法を十分理解しないうちに実際の乾燥処理を行わせることとすると、誤操作によって所望の乾燥処理がなされない場合や、積極的に最適な乾燥処理を設定することができない等の問題を生じる場合があることから、このような問題の発生を未然に防止するための手段が望まれていた。
【０００８】
特に、従来の穀物乾燥機では、実際の乾燥処理を少なくとも１回は実施し、それによって得られる実測データを解析する等の手順を踏まなければ、確信の得られる知識を習得することができないという側面を有していたため、予備知識を簡単且つ迅速に取得することができないという問題があった。
【０００９】
本発明は、このような従来技術の課題を克服するためになされたものであり、穀物乾燥機の機能や取扱い方法等を簡単且つ確実に取得することができ、また、ユーザー等に対する利便性の向上等を可能にする手段を備えた穀物乾燥機を提供することを目的とする。
【００１０】
【課題を解決するための手段】
上記目的を達成するため本発明は、少なくとも乾燥処理中の穀物の状態を様々な表示形態で表示する表示手段を備えた穀物乾燥機において、
前記乾燥処理が実際に行われた場合の様々な態様を想定して作成された前記穀物に関する情報と、前記穀物乾燥機の操作方法及び取扱い説明に関する情報とを予め記憶する記憶手段と、前記乾燥処理が実際に行われた場合に前記表示手段に表示される内容と同等の複数の表示形態を、前記記憶手段に記憶されている前記穀物に関する情報に基づいて、張込中、乾燥処理中、排出処理中の各運転モード時において前記表示手段に表示させると共に、前記穀物乾燥機の電源が投入されていれば、前記乾燥処理を行わなくとも、前記操作方法及び取扱い説明に関する情報を前記表示手段に表示させる制御手段と、前記制御手段に対して、前記複数の表示形態の中から１又は２以上の表示形態を選択指定し、前記選択指定した表示形態を前記表示手段に表示させる選択手段と、を備えた構成とした。
【００１１】
かかる構成によると、実際には穀物の乾燥処理を行わなくとも、記憶手段に記憶されている情報に基づいて、実際に乾燥処理が行われた場合と同様の内容が張込中、乾燥処理中、排出処理中の各運転モード時において表示手段に表示される。また、選択手段によって、表示させるべき内容を選択指定するだけで、所望の内容を選択的に表示させることができる。この結果、実際の乾燥処理に即した穀物に関する情報データ、例えば最終的な穀物含水率に関する情報データを簡単に入手することが可能となり、ユーザー等に対する利便性が向上する。
さらにまた、穀物乾燥機の動作や取扱い方法等を事前に知りたいような場合には、穀物乾燥機の電源が投入されていれば、乾燥処理を行わなくとも、それらの情報を表示手段に表示させることができる。
【００１２】
この結果、ユーザー等が、本穀物乾燥機の動作や取り扱い方法等を事前に知りたいような場合に、選択手段によって所望の内容を選択指定するだけで、実際の乾燥処理に即した情報を簡単に入手することが可能となる。
【００１３】
【発明の実施の形態】
以下、本発明の実施の形態を図面を参照して説明する。尚、図１は、本実施形態に係る穀物乾燥機の構造を模式的に示した構造図であり、同図（ａ）は主として内部構造を、同図（ｂ）は外観構造を示している。
【００１４】
図１において、この穀物乾燥機１は、集穀室２、乾燥室３、貯留室４が連設されて成る本体部５と、本体部５の側方に併設された昇降機６を備えて構成されている。
【００１５】
集穀室２の前部には横送コンベア２ａ、乾燥室３の前部にはバーナー等から成る加熱器３ａ、乾燥室３の後部には排風機３ｂが設けられ、乾燥室３と集穀室２の間には複数の回転バルブ３ｃが設けられ、貯留室４の上部には上部コンベア４ａが設けられている。更に、昇降機６の下部にはホッパ７、昇降機６の側部には水分計８、昇降機６の上部にはスロワ９、上部コンベア４ａには排塵機１０が設けられている。
【００１６】
ここで、加熱器３ａと排風機３ｂによって乾燥室３内に温風を生じさせ、貯留室４から集穀室２へ降下する穀物を、この温風によって強制乾燥させるようになっている。排塵機１０は、本体部５内に発生する不要な塵や埃を外部へ排出するために設けられている。
【００１７】
横送コンベア２ａと昇降機６及び上部コンベア４ａは、乾燥処理が開始される前には、乾燥処理すべき穀物を貯留室４内に搬送し、乾燥処理が開始されると、集穀室２に溜まった穀物を再び貯留室４へ搬送することにより、循環乾燥を行なうようになっている。
【００１８】
また、図１には示されていないが、ユーザーが穀物乾燥機１を操作するための操作部が備えられており、この操作部には、図２の平面図に示すような操作盤（操作パネル）１１が備えられている。
【００１９】
図２において、操作盤１１には、液晶ディスプレイ等から成る表示部１２と、各種の操作スイッチＳＷ１〜ＳＷ12が設けられている。ユーザーがこれらの操作スイッチＳＷ１〜ＳＷ12を操作すると、穀物乾燥機１の動作を制御することができ、また、表示部１２には、穀物乾燥機１の動作状況や、操作スイッチＳＷ１〜ＳＷ12で選択された内容が表示される。
【００２０】
尚、操作スイッチＳＷ１〜ＳＷ10は、押し釦スイッチで形成され、操作スイッチＳＷ11，ＳＷ12は、ダイヤル式のボリュームスイッチで形成されている。
【００２１】
図３は、穀物乾燥機１の動作を制御する制御系の構成を示すブロック図である。同図において、予め設定されているシステムプログラムを実行することにより穀物乾燥機１全体の動作を制御するマイクロプロセッサ（ＭＰＵ）等を有する制御部１３が備えられている。
【００２２】
制御部１３には、表示部１２と、操作スイッチＳＷ１〜ＳＷ12が接続される他、表示部１２に表示等するためのデータを記憶する記憶部１４と、駆動回路１５〜１８が接続され、制御部１３の指示にしたがって各駆動回路１５〜１８から、排風機３ｂ、排塵機１０、コンベア２ａ，４ａ、昇降機６及び加熱器３ａに電力を供給するようになっている。
【００２３】
更に、制御部１３には、複数の穀粒をサンプル抽出して各穀粒の含水率を計測する水分計８と、乾燥室３の内部温度を検出する温度センサ１９と、穀物乾燥機１に異常が生じた場合に強制的に動作を停止させるための安全装置２０が接続されている。
【００２４】
そして、制御部１３は、水分計８と温度センサ１９から出力される検出信号を受信し、それによって得られる含水率と温度の実測データに基づいて、上記の各駆動回路１５〜１８の電力供給量をフィードバック制御することにより、穀物の含水率を目標の含水率にするように乾燥処理を行う。
【００２５】
次に、操作盤１１に設けられた操作スイッチＳＷ１〜ＳＷ12の機能を説明する。表示切替スイッチＳＷ１は、穀物乾燥機１の機能や取扱い方法に関する説明情報を表示部１２に表示させるために設けられており、ユーザーが表示切替スイッチＳＷ１を押圧する度に、属性の異なる表示内容に切替えられるようになっている。
【００２６】
画面選択スイッチＳＷ２は、２接点式の押し釦スイッチで形成されており、ユーザーが図２中の三角印ａの部分を押圧すると、表示切替スイッチＳＷ１で設定された属性の範囲内で前画面の表示に切替えることができ、三角印ｂの部分を押圧すると、同一属性の範囲内で次画面の表示に切替えることができるようになっている。
【００２７】
穀物選択スイッチＳＷ３は、乾燥処理すべき穀物の種類や性状を指定するために設けられている。ユーザー等が穀物選択スイッチＳＷ３を押圧する度に、上記の指定内容を切替えられるようになっている。
【００２８】
乾燥パターンスイッチＳＷ４は、乾燥処理の行程パターンを指定するために設けられている。より具体的には、加熱器３ａによる加熱温度の制御パラメータに関するデータが記憶部１４中に予め記憶されている。すなわち、乾燥処理の開始から終了までの期間内における上記の加熱温度を調節するための複数個の行程パターンデータがルックアップテーブルとして予め記憶部１４内に記憶されており、ユーザーが乾燥パターンスイッチＳＷ４を操作して、複数個の行程パターンの中から１つの行程パターンを選択的に指定すると、選択された行程パターンに沿って乾燥処理が行われる。また、ユーザーが乾燥パターンスイッチＳＷ４を押圧する度に、行程パターンが切り替わるようになっている。
【００２９】
乾燥運転モードスイッチＳＷ５は、標準乾燥、通風乾燥、連続乾燥、二段乾燥等の乾燥処理方法を指定をするために設けられ、ユーザーが乾燥運転モードスイッチＳＷ５を押圧する度に、いずれかの乾燥処理方法を切替えられるようになっている。
【００３０】
張込スイッチＳＷ６は、乾燥処理を開始する前に、穀物を貯留室４内に蓄えるための指示を行うために設けられている。乾燥スイッチＳＷ７は、貯留室４内に穀物を蓄えた後、乾燥処理を開始させるために設けられている。排出スイッチＳＷ８は、乾燥処理された穀物を集穀室２から外へ搬出するために設けられている。停止スイッチＳＷ９は、乾燥処理を終了させるために設けられている。電源スイッチＳＷ10は、穀物乾燥機１に設けられている主電源の電源投入と遮断を行うために設けられている。
【００３１】
穀物量設定スイッチＳＷ11は、乾燥処理すべき穀物の量を予め設定するために設けられており、穀物量設定スイッチＳＷ11の回動角度に応じて穀物量を指定するようになっている。
【００３２】
水分設定スイッチＳＷ12は、乾燥処理の終了時点における穀物の含水率を指定するために設けられており、水分設定スイッチＳＷ12の回動角度に応じて所望の含水率を指定するようになっている。
【００３３】
次に、かかる構造を有する穀物乾燥機１の基本動作について、図４のフローチャートを参照して説明する。尚、典型例として、乾燥処理の動作を説明することとする。
【００３４】
図４において、ユーザー等が乾燥スイッチＳＷ７により乾燥処理の開始を指示すると、ステップＳ１００，Ｓ１０２において駆動回路１５〜１８が作動し、排風機３ｂ、排塵機１０、コンベア２ａ，４ａ、昇降機６を動作させるための各種モータが起動し、更に、加熱器３ａが起動する。
【００３５】
次に、ステップＳ１０４において、ユーザーが乾燥処理の開始を設定する前に予め穀物選択スイッチＳＷ３と乾燥パターンスイッチＳＷ４と乾燥運転モードスイッチＳＷ５で指定した乾燥処理条件の情報を、制御部１３が取得し、その乾燥処理条件の情報に基づいて乾燥処理の制御を開始する。
【００３６】
次に、ステップＳ１０６において、水分計８が所定数の穀粒をサンプル抽出して各穀粒の含水率を計測し、その実測データを制御部１３へ転送する。また、制御部１３では、取得した含水率の実測データを統計処理することにより、乾燥処理の対象である全穀物の含水率や性状分布等を推定する。
【００３７】
次に、ステップＳ１０８において、温度センサ１９が乾燥室３内の温度を計測し、その温度データを制御部１３へ転送する。そして、制御部１３は、上記温度データと全穀物の含水率や性状分布等の推定値に基づいて、予め設定されている判定条件に従って最適な温度を決定した後、ステップＳ１１０において、加熱器３ａの発熱量と排風機３ｂの風量等を自動的に調節する。また、ステップＳ１１２において、上記の全穀物の含水率や性状分布等の推定値と、調節した加熱器３ａの発熱量と排風機３ｂの風量等の情報を表示部１２に表示する。
【００３８】
次に、ステップＳ１１４において、上記の含水率の推定値Ｍcが目標の含水率Ｍnに達したか否か判断する。ステップＳ１１４において、推定値Ｍcが目標の含水率Ｍnに達した場合（「ＹＥＳ」の場合）には、乾燥処理を停止し（ステップＳ１２０）、更に、停止スイッチＳＷ９が押圧されたか否か判断し（ステップＳ１２２）、押圧された場合には、ステップＳ１２４に移行して、一連の乾燥処理を終了して、次のユーザーからの指示待ち状態となる。
【００３９】
ステップＳ１１４において、推定値Ｍcが目標の含水率Ｍnに達していない場合（「ＮＯ」の場合）には、停止スイッチＳＷ９が押圧されたか否か判断し（ステップＳ１１６）、押圧された場合には、ステップＳ１２４に移行して、一連の乾燥処理を終了して、ユーザーからの指示待ち状態となる。
【００４０】
一方、ステップＳ１１６において停止スイッチＳＷ９が押圧されていない場合には、次に、ステップＳ１１８において、所定時間Ｔ（例えば、約３０分）を経過した値となったか否か判断し、所定時間Ｔが経過していなければステップＳ１０８からの処理を繰り返し、所定時間Ｔが経過していればステップＳ１０６からの処理を繰り返す。
【００４１】
このように、所定時間Ｔの周期で含水率と温度等を計測しつつ常に最適な条件下で乾燥処理を行うようにし、含水率の推定値Ｍcが目標の含水率Ｍnに達すると、乾燥処理を停止するようになっている。
【００４２】
次に、本穀物乾燥機１に備えられている表示機能について、図５ないし図１１を参照して説明する。
【００４３】
尚、図５は、本表示機能を説明するためのフローチャート、図６は、表示部１２に表示させる内容の項目を例示した説明図、図７及び図８は、表示部１２に表示するための表示データのデータ管理構造を説明するための説明図、図９ないし図１１は、表示部１２の表示形態を具体的に示した説明図である。
【００４４】
まず、図６ないし図８に基づいて、表示させる内容の項目と表示データのデータ管理構造を説明する。
【００４５】
本実施形態では、図６に例示されているように、複数の運転モード（ＮＯ．１）〜（ＮＯ．５）に応じて、複数の属性の表示項目（ａ）〜（ｅ）を表示部１２に切替表示させることができるようになっている。
【００４６】
本穀物乾燥機１が運転停止中の運転モード（ＮＯ．１）のときには、ユーザーは表示切替スイッチＳＷ１を操作することによって、表示項目（ａ）〜（ｅ）に該当する内容を表示部１２に切替表示させることができる。すなわち、表示切替スイッチＳＷ１の操作によって、「（ａ）標準の表示画面」が指定されると、運転停止中における本穀物乾燥機１の運転状況を表示し、「（ｂ）水分分布の表示画面」が指定されると、穀物の初期の時点での乾燥状況に関する内容を表示し、「（ｃ）終了予測の表示画面」が指定されると、穀物の現在の乾燥状況に関する内容を表示し、「（ｄ）経過グラフの表示画面」が指定されると、穀物の現在の乾燥状況に関する内容を表示し、「（ｅ）操作方法の説明画面」が指定されると、操作方法に関するガイド情報を表示する。
【００４７】
また、本穀物乾燥機１が張込中（穀物を貯留室４に搬送中）の運転モード（ＮＯ．２）のときに、ユーザーが表示切替スイッチＳＷ１を操作して表示項目（ａ）〜（ｅ）を切替指定すると、運転モード（ＮＯ．２）に関連する内容を表示させることができるようになっている。また、以下同様に、乾燥処理中の運転モード（ＮＯ．３）のときや排出処理中の運転モード（ＮＯ．４）のときにも、ユーザーが表示切替スイッチＳＷ１を操作して表示項目（ａ）〜（ｅ）を切替指定すると、夫々の運転モードに関連する内容を表示させることができるようになっている。
【００４８】
ここで、運転モード（ＮＯ．２）〜（ＮＯ．５）に該当する太線枠で示されている６個の項目「標準乾燥の場合」「標準乾燥の場合」「二段乾燥の場合」「二段乾燥の場合」「含水率：２５％」「含水率：１５％」に関する各表示データは、予め記憶部１４にルックアップテーブルとして記憶されている。すなわち、これらの表示データは、本穀物乾燥機１を製品出荷する前に、各項目について実験を行い、それによって得られる実験データを視覚的に見易い表示形態のモデルデータに加工して記憶部１４に記憶されている。また、読み出し専用メモリ（ＲＯＭ）にこれらの表示データを記憶させ、製品出荷後に、このＲＯＭを記憶部１４に追加したり差し替えることで、表示データの追加や更新をすることができるようになっている。
【００４９】
また、「（ｅ）操作方法の説明画面」に該当する５個の項目［停止中］［張込］［乾燥］［乾燥］［排出］に関する各表示データも予めルックアップテーブルとして記憶部１４に記憶されている。すなわち、これらの表示データは、ユーザーに対して本穀物乾燥機１の操作方法や取扱い説明を運転モード毎に行うために、予め記憶部１４に記憶されている。
【００５０】
したがって、上記の太線枠で囲まれた上記６個の表示項目と「（ｅ）操作方法の説明画面」に該当する上記５個の項目に関する表示データは、本穀物乾燥機１が実際に運転しているか否かに拘わらず、予め記憶部１４に記録されている。
【００５１】
一方、上記の太線枠で囲まれた上記６個の表示項目と「（ｅ）操作方法の説明画面」に該当する上記５個の項目以外の表示項目、すなわち残りの表示項目に関する表示データは、実際に本穀物乾燥機１が運転することにより得られる実測データである。
【００５２】
更に、図６に示した全ての表示項目の表示データは、図６に示す階層化されたデータ構造に基づいて管理されている。すなわち、表示項目（ａ）〜（ｅ）の各属性に対応付けて、運転モード（ＮＯ．１）〜（ＮＯ．５）に該当する表示項目の表示データがファイル管理されている。
【００５３】
次に、図５に示すフローチャートに基づいて、表示動作を説明する。
【００５４】
図５において、ユーザー等が本穀物乾燥機１の電源を投入すると、ディフォルト表示モードとなり（ステップＳ２００）、標準の表示画面が表示部１２に表示される。例えば、電源が投入された直後の運転停止中の状態では、図６に示した「（ａ）標準の表示画面」及び運転モード（ＮＯ．１）に該当する項目「停止中」に関する表示データが記憶部１４から読み出されて、表示部１２に表示される。
【００５５】
次に、ステップＳ２０２において、制御部１３内のプログラムタイマーを停止状態に維持し、ステップＳ２０４において、表示切替スイッチＳＷ１が押圧されたか否か判断する。
【００５６】
ここで、表示切替スイッチＳＷ１が押圧されると（「ＹＥＳ」の場合）、ステップＳ３００に移行して、次の属性の項目（ｂ）に関する内容を表示する。すなわち、運転モード（ＮＯ．１）の状態で、表示切替スイッチＳＷ１が操作された場合には、「（ｂ）水分分布の表示画面」に属する「乾燥（初期）」の項目に関する表示データが記憶部１４から読み出され、水分計８で計測される各穀粒の含水率分布がどの様に表示されるかの典型例（モデルケース）を表示する。
【００５７】
次に、ステップＳ３０２において、上記のプログラムタイマーが計時動作を開始した後、ステップＳ２０６の処理に移行する。
【００５８】
ステップＳ２０６では、プログラムタイマーによる計測時間が予め決められている表示時間τに達したか否か判断し、その計測時間が表示時間τに達した場合（「ＹＥＳ」の場合）には、再びステップＳ２００からの処理を繰り返す。すなわち、同一の内容が表示時間τを超えて連続表示されるような場合を回避するようにしている。
【００５９】
一方、上記の計測時間が予め決められている表示時間τに達していない場合（「ＮＯ」の場合）には、ステップＳ２０８に移行して、画面選択スイッチＳＷ２が押圧されたか否か判断する。画面選択スイッチＳＷ２が押圧された場合には、ステップＳ４００に移行して、画面選択スイッチＳＷ２の三角印ａとｂのいずれの部分が押圧されたのか判定する。
【００６０】
次に、ステップＳ４０２において、現在表示されている表示画面の属性は変えずに、すなわち同一属性に該当する次の項目の内容を表示部１２に切替え表示する。ここで、上記の三角印ａの部分が押圧された場合には、１つ前の項目の内容を表示し、三角印ｂの部分が押圧された場合には、１つ後の項目の内容を表示する。
【００６１】
例えば、上記の「乾燥（初期）」の項目に関する内容が表示されている状態で、画面選択スイッチＳＷ２の三角印ａの部分が押圧された場合には、同一属性（ｂ）における第５番目（ＮＯ．５）の項目「含水率：１５％」に関する内容を切替え表示する。また、画面選択スイッチＳＷ２の三角印ｂの部分が押圧された場合には、同一属性（ｂ）における第２番目（ＮＯ．２）の項目「乾燥（現在）」に関する内容を切替え表示する。
【００６２】
このように、画面選択スイッチＳＷ２によって別の項目が切替え表示されると、ステップＳ４０４において、上記プログラムタイマーによる計時動作をリスタートした後、再びステップＳ２０６の判断処理へ移行する。
【００６３】
次に、上記のステップＳ２０８で画面選択スイッチＳＷ２が操作されなかった場合には、ステップＳ２１０において、表示部１２の表示内容を現状のまま維持し、更に、ステップＳ２１２において、主電源が遮断されたか否か判断する。
【００６４】
そして、主電源が遮断されていなければステップＳ２０４からの処理を繰り返し、主電源が遮断されるとステップＳ２１４に移行して、主電源が遮断される直前（直近）の表示内容、すなわち属性と項目の情報を記憶部１４に設けられている「履歴の表示」のファイルに関連付けて記憶して動作を終了する。
【００６５】
以上、最も基本的な取扱い説明のための表示動作について述べたが、図５のフローチャートに従って動作することで、次のような多様な表示動作が行われるようになっている。
【００６６】
すなわち、ユーザーは表示切替スイッチＳＷ１を押圧すると、図６に示した複数の項目（ａ）〜（ｅ）のうちの１つを選択することができ、更に画面選択スイッチＳＷ２を押圧すると、運転モード（ＮＯ．１）〜（ＮＯ．５）のうちの１つを選択することができる。このため、表示切替スイッチＳＷ１と画面選択スイッチＳＷ２を適宜に操作するだけで、図８に模式的に示すように、項目（ａ）〜（ｅ）を大分類の目次、運転モード（ＮＯ．１〜ＮＯ．５）を小分類の目次として、あたかも説明書の頁を見開くような操作感をもって、所望の内容を表示させることができる。
【００６７】
したがって、例えば、図９に示すような標準表示が表示部１２になされているときに、ユーザーが、仮に所望の目標含水率を設定して二段乾燥処理を行い、最終的に乾燥処理が終了した時点では、どの様な表示がなされるのかを知りたいと希望した場合には、表示切替スイッチＳＷ１と画面選択スイッチＳＷ２を操作して、項目（ｃ）及び運転モード（ＮＯ．３）を指定すれば、図１０に示すような表示、すなわち、最終的な含水率の平均値と、含水率の分布が棒グラフで表示されることを知ることができる。
【００６８】
また、仮に所望の目標含水率を設定して標準的な乾燥処理を行い、現時点での含水率と乾燥処理が終了するまでの含水率がどの様に変化するのか事前に知りたい場合には、項目（ｄ）及び運転モード（ＮＯ．２）を指定すれば、図１１に示すような表示がなされることを知ることができ、更に、本穀物乾燥機１には、乾燥状態の予測を行う機能を備えていることを知ることができる。
【００６９】
また、上記同様に表示切替スイッチＳＷ１と画面選択スイッチＳＷ２を適宜に操作して、「（ｅ）操作方法の説明画面」に該当する各運転モード（ＮＯ．１）〜（ＮＯ．５）を指定すれば、ユーザーは各運転モードにおける操作方法や取り扱い方法を簡単に知ることができる。
【００７０】
尚、図９ないし図１１には、本穀物乾燥機１に備えられている機能の典型例だけを示したが、図６に示したように、最適な乾燥処理を実現するための多様な機能を備えており、それらの機能や、それらの機能を利用するための取扱い説明に関する表示データがモデルケースの情報として過不足無く記憶部１４に記憶されているため、ユーザー等は表示切替スイッチＳＷ１と画面選択スイッチＳＷ２を適宜に操作するだけで、所望の情報を簡単に入手することができる。この結果、実際に乾燥処理を実施しない場合であっても、予備知識を簡単且つ迅速に取得することが可能となり、ユーザーに対する利便性の大幅な向上を実現している。
【００７１】
また、本実施形態では、ディフォルト表示（標準表示）のモード以外では、同一の表示内容を所定の表示時間τを超えて表示するのを避けるようにしているが、かかる機能を設けなくてもよい。
【００７２】
すなわち、ユーザーが表示切替スイッチＳＷ１と画面選択スイッチＳＷ２を手動操作した場合に限って、表示切替を行うようにしてもよい。また、強制的にディフォルト表示のモードへ戻すための専用の操作スイッチを設けるようにしてもよい。
【００７３】
また、本実施形態では、属性と運転モードの項目を階層化し、１つ１つ従属的に選択するようにした場合を説明したが、本発明はこれに限定されるものではない。例えば、ディフォルト表示のモードでは、全ての属性を並列的に表示させ、表示切替スイッチＳＷ１を押圧することによって所望の属性をスクロール選択するようにし、選ばれた属性に属する複数の項目も並列表示して、画面選択スイッチＳＷ２を押圧することによって、所望の項目の内容を表示させるようにしてもよい。大型の液晶ディスプレイ等で表示部１２を形成する場合に有効である。
【００７４】
【発明の効果】
以上説明したように本発明によれば、実際には穀物の乾燥処理を行わなくとも、記憶手段に記憶されている情報に基づいて、実際に乾燥処理が行われた場合と同様の内容を張込中、乾燥処理中、排出処理中の各運転モード時において表示手段に表示させるようにし、また、選択手段によって、表示させるべき情報を選択指定するだけで、所望の情報を選択的に表示させるようにしたので、選択手段の操作によって実際の乾燥処理に即した情報を簡単に入手することが可能となる。また、ユーザー等が本穀物乾燥機の機能や取り扱い方法等を知りたいような場合でも、穀物乾燥機の電源が投入されていれば、乾燥処理を行わなくとも、本穀物乾燥機の機能や取扱い方法等を簡単且つ確実に取得することができ、更にまた、ユーザーに対する利便性の向上を実現することができる。
【００７５】
また、本穀物乾燥機１の取扱い方法等をユーザー等自身が学習することができるため、指導員等の手間を省くことができる等の効果も得られる。
【図面の簡単な説明】
【図１】本実施形態の穀物乾燥機の構造を模式的に示した構造図である。
【図２】操作盤の構成を示す平面図である。
【図３】制御系の構成を示すブロック図である。
【図４】本実施形態の穀物乾燥機の動作例、特に乾燥処理時における動作例を説明するためのフローチャートである。
【図５】本実施形態の穀物乾燥機の表示機能を説明するためのフローチャートである。
【図６】表示部に表示される情報を列示した説明図である。
【図７】表示部に表示される情報のデータ管理構造を示した説明図である。
【図８】表示部に表示される情報のデータ管理構造を更に示した説明図である。
【図９】標準表示形態の具体的表示例を示した説明図である。
【図１０】標準表示形態以外の具体的表示例を示した説明図である。
【図１１】標準表示形態以外の具体的表示例を更に示した説明図である。
【符号の説明】
１…穀物乾燥機
２…集穀室
３…乾燥室
３ａ…加熱器
４…貯留室
５…本体部
６…昇降機
８…水分計
１２…表示部
１３…制御部
１４…記憶部
ＳＷ１…表示切替スイッチ
ＳＷ２…画面選択スイッチ
【図１】
0003864364.tif 000002
【図２】
0003864364.tif 000003
【図３】
0003864364.tif 000004
【図４】
0003864364.tif 000005
【図５】
0003864364.tif 000006
【図６】
0003864364.tif 000007
【図７】
0003864364.tif 000008
【図８】
0003864364.tif 000009
【図９】
0003864364.tif 000010
【図１０】
0003864364.tif 000011
【図１１】
0003864364.tif 000012